(57)【要約】【課題】歌唱者が歌唱しながら移動した場合であっても、歌唱者にガイドメロディなどの特定のパートを強く聞かせることのできる技術を提供する。【解決手段】歌唱者は、マイク１２１に設けられたパート選択スイッチ１２３を操作して、楽曲のどのパートを歌唱するかを選択する。パート選択スイッチ１２３は、操作された内容に応じた操作信号（パート情報）を方向制御部１７に出力する。また、歌唱者が伴奏にあわせて歌唱を行うと、マイク１２１に設けられた位置センサ１２２からのセンサ信号（方向情報）を方向制御部１７が受信することによって、方向制御部１７は、マイク１２１の方向、すなわち歌唱者の方向を検出する。出力方向制御部１６は、方向制御部１７から出力される方向情報に応じて、スピーカアレイ１８を制御して、その歌唱者のいる方向に対して、対応するパートのガイドメロディを放音させる。【選択図】図１
2008046150.tif 000002
【特許請求の範囲】
【請求項１】
楽曲を構成する複数のパートの楽音を表す楽音データをパート毎に記憶する記憶手段と、
供給される信号に応じて放音する第１の放音手段と、
供給される信号に応じて、指定された方向に指向性を持たせて放音する第２の放音手段と、
歌唱者の位置を検出する位置検出手段と、
前記記憶手段から前記各パートの楽音データを読み出して、各々に対応する楽音信号を生成する楽音生成手段と、
前記第２の放音手段に対し、前記位置検出手段によって検出された方向を指定して予め定められた特定のパートの楽音信号を供給するとともに、前記第１の放音手段に前記特定のパートを除いたパートの一部又は全部に対応する楽音信号を供給する制御手段と
を具備することを特徴とするカラオケ装置。
【請求項２】
前記予め定められた特定のパートは、ガイドメロディであることを特徴とする請求項１に記載のカラオケ装置。
【請求項３】
前記予め定められた特定のパートは、複数のパートのメロディを示し、前記制御手段は、前記複数のパートのいずれかを選択する選択手段を有し、前記選択手段で選択されたパートの楽音信号を前記第２の放音手段に供給する
ことを特徴とする請求項１に記載のカラオケ装置。
【請求項４】
前記制御手段は、前記第２の放音手段に対し、前記位置検出手段によって検出された方向を指定して予め定められた特定のパートの楽音信号を供給するとともに、前記第１の放音手段に前記特定のパートを除いたパートの一部又は全部に対応する楽音信号と歌唱者の歌唱音声を収音する収音手段から出力される音声信号に応じた信号とを供給する
ことを特徴とする請求項１に記載のカラオケ装置。
【請求項５】
前記選択手段は、歌唱者の操作に応じて操作手段から出力される信号に応じて、前記パートを選択する
ことを特徴とする請求項３に記載のカラオケ装置。
【請求項６】
歌唱者の歌唱音声を収音する収音手段から出力される音声信号からピッチを検出するピッチ検出手段を備え、
前記選択手段は、前記ピッチ検出手段により検出されたピッチと前記記憶手段に記憶されたパート毎の楽音データのピッチとを比較し、比較結果に応じて、一致度が最も高い楽音データのパートを選択する
ことを特徴とする請求項３に記載のカラオケ装置。
【請求項７】
歌唱者の歌唱音声を収音する収音手段に設けられたセンサからの信号を受信するセンサ信号受信手段を備え、
前記位置検出手段は、前記センサ信号受信手段により受信された信号に応じて、前記歌唱者の位置を検出する
ことを特徴とする請求項１乃至６のいずれかに記載のカラオケ装置。
【請求項８】
列状に配置され、各々が収音した音声を音声信号として出力する複数の収音手段と、
前記各収音手段からの出力信号を遅延させる複数の遅延手段と、
前記各遅延手段の遅延時間を制御することにより、前記複数の収音手段全体の収音方向を制御する収音方向制御手段と
を備え、
前記位置検出手段は、前記収音方向制御手段により収音方向が制御された前記複数の収音手段の収音音量に応じて前記歌唱者の位置を検出する
ことを特徴とする請求項１乃至６のいずれかに記載のカラオケ装置。
【発明の詳細な説明】
【技術分野】
【０００１】
本発明は、カラオケ装置に関する。
【背景技術】
【０００２】
カラオケ装置において、歌唱者の歌唱音声の放音方向を制御して娯楽性を高める方法が提案されている。例えば、特許文献１には、歌唱者の歌唱音声の定位位置を変化させることにより、カラオケ演奏に広がりを持たせる方法が開示されている。また、特許文献２には、歌唱者の歌唱音声を特定の範囲に聞かせる技術が提案されている。一方で、特許文献３には、歌唱者に向けた指向性スピーカを設置し、歌唱者のみにガイドボーカルを聞かせるというカラオケ装置が提案されている。
【特許文献１】特許第３５７７７７７号
【特許文献２】特開２００５−１７３１３７号公報
【特許文献３】特開平１０−３２９２号公報
【発明の開示】
【発明が解決しようとする課題】
【０００３】
ところで、特許文献３に記載の技術では、歌唱者が同じ場所で歌唱している場合にはガイドボーカルを聞かせることができるものの、歌唱者が歌唱しながら移動した場合には対応することができなかった。
本発明は上述した背景の下になされたものであり、歌唱者が歌唱しながら移動した場合であっても、歌唱者にガイドメロディなどの特定のパートを強く聞かせることのできる技術を提供することを目的とする。
【課題を解決するための手段】
【０００４】
本発明の好適な態様であるカラオケ装置は、楽曲を構成する複数のパートの楽音を表す楽音データをパート毎に記憶する記憶手段と、供給される信号に応じた音を放音する第１の放音手段と、供給される信号に応じた音を、指定された方向に指向性を持たせて放音する第２の放音手段と、歌唱者の位置を検出する位置検出手段と、前記記憶手段から前記各パートの楽音データを読み出して、各々に対応する楽音信号を生成する楽音生成手段であって、前記第２の放音手段に対し、前記位置検出手段によって検出された方向を指定して予め定められた特定のパートの楽音信号を供給するとともに、前記第１の放音手段に前記特定のパートを除いたパートの一部又は全部に対応する楽音信号を供給する制御手段とを具備することを特徴とする。
【０００５】
この態様において、前記予め定められた特定のパートは、ガイドメロディであってもよい。
また、この態様において、前記予め定められた特定のパートは、複数のパートのメロディを示し、前記制御手段は、前記複数のパートのいずれかを選択する選択手段を有し、前記選択手段で選択されたパートの楽音信号を前記第２の放音手段に供給してもよい。
また、この態様において、前記制御手段は、前記第２の放音手段に対し、前記位置検出手段によって検出された方向を指定して予め定められた特定のパートの楽音信号を供給するとともに、前記第１の放音手段に前記特定のパートを除いたパートの一部又は全部に対応する楽音信号と歌唱者の歌唱音声を収音する収音手段から出力される音声信号に応じた信号とを供給してもよい。
【０００６】
また、上述の態様において、前記選択手段は、歌唱者の操作に応じて操作手段から出力される信号に応じて、前記パートを選択してもよい。
また、上述の態様において、歌唱者の歌唱音声を収音する収音手段から出力される音声信号からピッチを検出するピッチ検出手段を備え、前記選択手段は、前記ピッチ検出手段により検出されたピッチと前記記憶手段に記憶されたパート毎の楽音データのピッチとを比較し、比較結果に応じて、一致度が最も高い楽音データのパートを選択してもよい。
【０００７】
また、上述の態様において、歌唱者の歌唱音声を収音する収音手段に設けられたセンサからの信号を受信するセンサ信号受信手段を備え、前記位置検出手段は、前記センサ信号受信手段により受信された信号に応じて、前記歌唱者の位置を検出してもよい。
また、上述の態様において、列状に配置され、各々が収音した音声を音声信号として出力する複数の収音手段と、前記各収音手段からの出力信号を遅延させる複数の遅延手段と、前記各遅延手段の遅延時間を制御することにより、前記複数の収音手段全体の収音方向を制御する収音方向制御手段とを備え、前記位置検出手段は、前記収音方向制御手段により収音方向が制御された前記複数の収音手段の収音音量に応じて前記歌唱者の位置を検出してもよい。
【発明の効果】
【０００８】
本発明によれば、歌唱者が歌唱しながら移動した場合であっても、歌唱者にガイドメロディなどの特定のパートを強く聞かせることができる。
【発明を実施するための最良の形態】
【０００９】
以下、図面を参照して、本発明の実施形態について説明する。
＜Ａ：第１実施形態＞
＜Ａ−１：構成＞
図１は、本実施形態であるカラオケ装置１の構成の一例を示すブロック図である。なお、図中の矢印は、データの流れを概略的に示したものである。図において、記憶部１１は、ハードディスク装置などの記憶手段であり、楽音データ記憶領域１１１を備えている。楽音データ記憶領域１１１には、ＭＩＤＩ（Musical Instruments Digital Interface）形式などのデータ形式の伴奏データであって、各楽曲の伴奏楽音を構成する伴奏データが楽曲毎に記憶されているとともに、ＭＩＤＩ形式などのデータ形式のメロディデータであって、ガイドメロディを表すメロディデータが楽曲毎に記憶されている。以下の説明においては、「伴奏データ」と「メロディデータ」とを各々区別する必要がない場合には、これらを「楽音データ」と称して説明する。
【００１０】
図２は、楽音データ記憶領域１１１に記憶されている楽音データの内容の一例を示す図である。図示のように、この記憶領域には、「楽曲ＩＤ」と「パートＩＤ」と「楽音データ」との各項目が互いに関連付けて記憶されている。これらの項目のうち、「楽曲ＩＤ」の項目には、楽曲を識別する楽曲識別情報が記憶されている。「パートＩＤ」の項目には、複数のパートで構成される楽曲について、その楽曲を構成するそれぞれのパートを識別する識別情報が記憶されている。「楽音データ」の項目には、そのパートのガイドメロディを表すメロディデータや伴奏データなどの楽音データが記憶されている。図に示す例においては、楽曲ＩＤが「００１」で示される楽曲は、１つのパートで構成されており、この楽曲に対して１つの楽音データが記憶されている。一方、楽曲ＩＤが「００２」で示される楽曲は、「０１」〜「０４」の４つのパートで構成されており、それぞれのパートについて楽音データ（伴奏データやメロディデータ）が記憶されている。
【００１１】
次に、入力部１２の構成について、図３を参照しつつ以下に説明する。図３は、入力部１２の構成の一例を示すブロック図である。図において、マイク１２１は、歌唱者の歌唱音声を収音し、収音した音声を表す音声信号（以下、「歌唱者音声データ」という）を出力する収音手段である。位置センサ１２２は、マイク１２１に設けられ、センサ信号（以下、「方向情報」という）を出力する。パート選択スイッチ１２３は、マイク１２１に設けられ、歌唱者の操作内容に応じた操作信号（以下、「パート情報」という）を出力するスイッチである。歌唱者は、このパート選択スイッチ１２３を操作することで、楽曲のパートを選択する。操作部１２４は、再生キーや採点キーなどの各種のキーを備え、歌唱する者（以下、「歌唱者」）による操作に応じた操作信号をカラオケ演奏部１３に出力する。
【００１２】
図１の説明に戻る。カラオケ演奏部１３は、楽音データ記憶領域１１１から各パートの楽音データを読み出して、各々に対応する楽音信号を生成する楽音生成手段として機能する。カラオケ演奏部１３は、予め定められた特定のパートの楽音信号をミキサ１４に供給するとともに、当該特定のパートを除いたパートの一部又は全部に対応する楽音信号を出力方向制御部１６に供給する。ミキサ１４は、カラオケ演奏部１３から供給される楽音データとマイク１２１から出力される音声信号（歌唱者音声データ）とをミキシングし、スピーカ１５に出力する。スピーカ１５は、ミキサ１４から供給される音声信号に応じた音を放音する放音手段（第１の放音手段）である。
具体的には、例えば、カラオケ演奏部１３は、楽音データ記憶領域１１１から、「パートＡメロディデータ」，「パートＢメロディデータ」といったパート毎のメロディデータを読み出し、出力方向制御部１６に出力するとともに、楽音データ記憶領域１１１から伴奏データを読み出して、読み出した伴奏データに対応する楽音信号をミキサ１４に出力する。このとき、ミキサ１４は、カラオケ演奏部１３から供給される伴奏データとマイク１２１から出力される音声信号（歌唱者音声データ）とをミキシングし、スピーカ１５に出力する。スピーカ１５からは、伴奏音と歌唱者の歌唱音声とが放音される。
【００１３】
方向制御部１７は、歌唱者の位置を検出する位置検出手段として機能するとともに、入力部１２の位置センサ１２２から出力される方向情報を受信するセンサ信号受信手段、及びパート情報の入力を受け付けるパート情報入力受付手段として機能する。方向制御部１７は、位置センサ１２２からのセンサ信号を定期的に（たとえば、１ｍｓ毎に）受信する。これにより、マイク１２１を把持しつつ歌唱する歌唱者が移動した場合であっても、歌唱者の方向（位置）を随時検出することができる。方向制御部１７は、入力部１２から出力される方向情報とパート情報とに応じて、パート毎のガイドメロディの放音方向を示すパート毎方向情報（例えば、「パートＡ方向情報」，「パートＢ方向情報」・・・など）を、出力方向制御部１６に出力する。
【００１４】
出力方向制御部１６は、方向制御部１７によって検出された方向を指定して予め定められた特定のパートの楽音信号をスピーカアレイ１８に供給する。スピーカアレイ１８は、複数のスピーカを備え、出力方向制御部１６から供給される信号に応じた音を、指定された方向に指向性を持たせて放音する放音手段（第２の放音手段）である。
【００１５】
＜Ａ−２：動作＞
次に、この実施形態の動作を説明する。まず、歌唱者は、カラオケ装置１の操作部１２４を操作して、歌唱したい楽曲を選択する操作を行う。操作部１２４は、操作された内容に応じた操作信号をカラオケ演奏部１３に出力する。カラオケ演奏部１３は、操作部１２４から出力される操作信号に応じて、楽曲を選択し、選択した楽曲のカラオケ伴奏を開始する。すなわち、カラオケ演奏部１３は、楽音データ記憶領域１１１から伴奏データを読み出してミキサ１４に供給し、ミキサ１４は、伴奏データをアナログ信号に変換し、スピーカ１５に供給して、伴奏データの表す伴奏音を放音させる。
【００１６】
このとき、歌唱者は、マイク１２１に設けられたパート選択スイッチ１２３を操作して、どのパートを歌唱するかを選択する。パート選択スイッチ１２３は、操作された内容に応じた信号（パート情報）を方向制御部１７に出力する。方向制御部１７は、パート選択スイッチ１２３から出力されるパート情報に応じてパートを選択する。
【００１７】
そして、伴奏音が放音されると、歌唱者は、マイク１２１を把持して歌唱する。このとき、マイク１２１に設けられた位置センサ１２２からのセンサ信号（方向情報）を方向制御部１７が受信することによって、方向制御部１７は、マイク１２１の方向、すなわち歌唱者の方向を検出する。方向制御部１７は、検出した方向を示す方向データを出力方向制御部１６に出力する。出力方向制御部１６は、方向制御部１７から出力される方向データに応じて、スピーカアレイ１８を制御して、歌唱者のいる方向に対して、対応するパートのガイドメロディを放音させる。
【００１８】
＜Ａ−３：動作例＞
次に、この実施形態の具体的な動作例について、図４を参照しつつ以下に説明する。図４は、カラオケ装置１が或るカラオケボックス１００で用いられた場合について、カラオケボックス１００内を概略的に示した図である。図４に示す例においては、歌唱者Ａ、歌唱者Ｂ、歌唱者Ａ，Ｂの歌唱音声を聴く者（以下、「観客」）Ｃ、観客Ｄ、観客Ｅが、カラオケボックス１００内でカラオケ演奏を楽しんでいる。この例においては、歌唱者Ａと歌唱者Ｂがある楽曲Ｇについて歌唱を行い、一方、ソファ１０１に座っている観客Ｃ，Ｄ，Ｅは、歌唱を行わず、歌唱者Ａ，Ｂが歌唱するのを聴取する。歌唱者Ａ，Ｂと観客Ｃ，Ｄ，Ｅとの間にはテーブル１０２が設置され、テーブル１０２上にカラオケ装置１のスピーカアレイ１８が設置されている。
なお、この動作例においては、歌唱者Ａが楽曲Ｇのパートａを歌唱し、歌唱者Ｂが楽曲Ｇのパートｂを歌唱する。また、以下の説明においては、説明の便宜上、歌唱者Ａが用いるマイク１２１をマイク１２１Ａとし、歌唱者Ｂが用いるマイク１２１をマイク１２１Ｂとして説明する。
【００１９】
まず、歌唱者Ａ又は歌唱者Ｂのいずれかが、操作部１２４を操作して、楽曲Ｇを選択する操作を行う。操作部１２４は、操作された内容に応じた操作信号をカラオケ演奏部１３に出力し、カラオケ演奏部１３は、操作部１２４から出力される操作信号に応じて楽曲Ｇを選択し、選択した楽曲Ｇのカラオケ伴奏を開始する。
【００２０】
また、このとき、歌唱者Ａは、マイク１２１Ａに設けられたパート選択スイッチ１２３（以下、「パート選択スイッチ１２３Ａ」）を操作して、パートａを選択する。一方、歌唱者Ｂは、マイク１２１Ｂに設けられたパート選択スイッチ１２３（以下、「パート選択スイッチ１２３Ｂ」）を操作して、パートｂを選択する。
【００２１】
歌唱者Ａ，Ｂが、マイク１２１Ａ，１２１Ｂをそれぞれ把持しつつカラオケ歌唱を行うと、このとき、歌唱者Ａが把持するマイク１２１Ａに付与された位置センサ１２２（以下、「位置センサ１２２Ａ」）から出力されるセンサ信号（方向情報）を方向制御部１７が受信し、方向制御部１７は、受信した方向情報とパート選択スイッチ１２３Ａから出力されたパート情報とに応じて、パートＡのガイドメロディの放音方向を決定する。方向制御部１７は、決定した放音方向を示す情報を、出力方向制御部１６に出力する。
同様にして、歌唱者Ｂが把持するマイク１２１Ｂに付与された位置センサ１２２（以下、「位置センサ１２２Ｂ」）から出力されるセンサ信号（方向情報）を方向制御部１７が受信し、方向制御部１７は、受信した方向情報とパート選択スイッチ１２３Ｂから出力されたパート情報とに応じて、パートＢのガイドメロディの放音方向を決定し、決定した放音方向を示す情報を、出力方向制御部１６に出力する。
【００２２】
出力方向制御部１６は、方向制御部１７から出力されるデータに応じて、スピーカアレイ１８を制御して、パートａのガイドメロディをマイク１２１Ａの方向に放音させるとともに、パートｂのガイドメロディをマイク１２１Ｂの方向に放音させる。
【００２３】
観客Ｃ，Ｄ，Ｅには、スピーカアレイ１８から放音されるガイドメロディは聞こえず、スピーカ１５から放音される伴奏音と歌唱音声とが聞こえる。このように、この実施形態においては、歌唱者はガイドメロディを聞きながら歌唱することができる一方、観客にはガイドメロディではなく歌唱者の歌唱音声を聞かせることができる。
【００２４】
また、この実施形態においては、マイク１２１に設けられた位置センサ１２２からの信号によって歌唱者の位置を検出するから、歌唱者が移動しながら歌唱した場合であっても、ガイドメロディを追随させて聞かせることができる。
また、特に、歌唱者が複数いる場合（デュエットやハモリなど）であっても、それぞれの歌唱者のそのパートのガイドメロディを聞かせることができる。
【００２５】
なお、この動作例においては、歌唱者Ａ，歌唱者Ｂの２人の歌唱者が歌唱する場合について説明したが、歌唱者の数は２に限定されるものではなく、１であってもよく、また、２以上の複数であってもよい。複数の歌唱者が同時に歌唱を行う場合には、歌唱者の人数分のマイク１２１を用意し、それぞれのマイク１２１に設けられた位置センサ１２２からのセンサ信号に応じて、方向制御部１７が、それぞれの歌唱者の位置を検出する。
この場合も、観客（歌唱していない者）には、ガイドメロディは聞こえず、歌唱者の歌唱音声が聞こえる。
【００２６】
＜Ｂ：第２実施形態＞
次に、この発明の第２の実施形態について説明する。
この発明の第２の実施形態であるカラオケ装置（以下、「カラオケ装置２」という）の構成が、上述した図１に示したカラオケ装置１の構成と異なる点は、入力部の構成が異なる点である。そのため、以下の説明においては、図１に示したカラオケ装置１と同様の構成については、同じ符号を付与してその説明を省略する。
【００２７】
図５は、カラオケ装置２の入力部２２の構成の一例を示すブロック図である。なお、図５は、上述した第１実施形態において図３に示した入力部１２の図と対応するものである。図において、マイクアレイ２２１は、複数のマイクロフォン（収音手段）（図示略）が列状に配置され、各々が収音した音声を音声信号として出力する複数の収音手段の集まりである。パート検出部２２２は、歌唱者の歌唱音声からピッチを検出するピッチ検出手段として機能するともに、検出したピッチと楽音データ記憶領域１１１に記憶されたパート毎のメロディデータの表す音のピッチとを比較し、該比較結果に応じて、一致度が最も高いメロディデータに対応するパートを選択するパート選択手段として機能する。パート検出部２２２は、検出したピッチと、ガイドメロディデータの表すガイドメロディのピッチとを比較し、その一致度が最も高いパートを、歌唱されているパートであると特定する。
方向検出部２２３は、マイクアレイ２２１に含まれる各マイクロフォンからの出力を遅延させる遅延回路（図示略）を備えており、各遅延回路の遅延時間を制御することにより、マイクアレイ２２１全体の収音方向を制御する収音方向制御手段として機能するとともに、収音方向が制御されたマイクロフォンの収音音量に応じて歌唱者の位置を検出する位置検出手段として機能する。
【００２８】
方向検出部２２３は、マイクアレイ２２１の各マイクロフォンから出力される信号の遅延とゲインを変えることにより、マイクアレイ２２１全体としての収音方向を任意に設定することができる。この収音方向をスキャンさせることにより、方向検出部２２３は、音量が大きくなる位置を検出することができる。この音量が大きくなる位置は音源がある位置としてみなすことができるから、その位置に歌唱者がいると判定することができる。この実施形態においては、音量が大きくなる箇所を２箇所（最大値とその次に大きい値）で検出するようになっている。
【００２９】
次に、この実施形態の具体的な動作について、図６を参照しつつ以下に説明する。図６は、カラオケ装置１がカラオケボックス１００で用いられた場合について、カラオケボックス１００内を概略的に示した図である。
図６に示す例においては、ある楽曲Ｈについて、歌唱者Ａ，歌唱者Ｂ，歌唱者Ｃが歌唱を行う場合について説明する。この動作例においては、歌唱者Ａがメインボーカルパートａの歌唱を行い、歌唱者Ｂがハモリパートｂを歌唱し、一方、歌唱者Ｃがハモリパートｃを歌唱する。観客Ｄは、歌唱者Ａ，Ｂ，Ｃの歌唱を聞く。
【００３０】
まず、歌唱者のいずれかが、操作部１２４を操作して楽曲Ｈを選択する操作を行う。操作部１２４は、操作された内容に応じた操作信号をカラオケ演奏部１３に出力し、カラオケ演奏部１３は、操作部１２４から出力される操作信号に応じて楽曲Ｈを選択し、選択した楽曲Ｈのカラオケ伴奏を開始する。
【００３１】
また、このとき、歌唱者Ａは、マイク１２１Ａに設けられたパート選択スイッチ１２３（以下、「パート選択スイッチ１２３Ａ」）を操作して、パートａを選択する。
カラオケ装置１によってカラオケ伴奏が行われると、歌唱者Ａは伴奏音にあわせてメインボーカルパートを歌唱する。同時に、歌唱者Ｂはハモリパートｂを、歌唱者Ｃがハモリパートｃをそれぞれ歌唱する。
【００３２】
ここで、方向検出部２２３は、マイクアレイ２２１に含まれるそれぞれのマイクロフォンの収音音量に応じて、歌唱者Ｂ，歌唱者Ｃの位置を検出する。位置を検出すると、方向検出部２２３は、パート毎の歌唱者の方向を示す方向情報を、パート毎に出力方向制御部１６に出力する。出力方向制御部１６は、スピーカアレイ１８を制御して、歌唱者のいる方向に対して、対応するパートのガイドメロディを放音する。
【００３３】
この実施形態においては、マイクアレイ２２１によって歌唱者の位置を検出し、検出した位置に対してガイドメロディを放音するから、歌唱者Ａ，Ｂ，Ｃのそれぞれに、それぞれの歌唱者が歌唱するパートのガイドメロディを聞かせることができる。また、歌唱者Ａ，Ｂ，Ｃは、自分のパート以外のガイドメロディが聞こえないから、歌唱しやすい。
【００３４】
また、マイクアレイ２２１によって歌唱者の位置を随時検出するから、それぞれの歌唱者が移動しながら歌唱した場合であっても、ガイドメロディを追随させて聞かせることができる。
また、この実施形態によれば、歌唱者が複数いる場合（デュエットやハモリなど）、それぞれの歌唱者のそのパートのガイドメロディを聞かせることができる。
【００３５】
＜Ｃ：変形例＞
以上、本発明の実施形態について説明したが、本発明は上述した実施形態に限定されることなく、他の様々な形態で実施可能である。以下にその一例を示す。
（１）上述した実施形態では、メロディデータとして、ガイドメロディを表すデータを用いた。メロディデータはガイドメロディを表すデータに限らず、例えば、お手本となる歌唱者によって歌唱された歌唱音声（いわゆる、「ガイドボーカル」）を表す音声データであってもよく、楽曲のメロディを表すデータであればどのようなものであってもよい。要するに、楽曲を構成する複数のパートの楽音を表す楽音データは、パート毎のガイドメロディを表すデータや、パート毎の模範となる歌唱音声を表すデータ、パート毎の伴奏音を表すデータなど、楽曲を構成する複数のパートの楽音を表す楽音データであればどのようなものであってもよい。
【００３６】
（２）上述した実施形態においては、伴奏データをスピーカ１５に供給する一方、歌唱者のパートのガイドメロディを表すメロディデータをスピーカアレイ１８に供給した。
スピーカ１５に供給するデータは、特定のパートを除いたパートの一部に対応する楽音信号であってもよく、又は、特定のパートを除いたパートの全部に対応する楽音信号であってもよい。
【００３７】
（３）上述した第１の実施形態では、伴奏音と歌唱者音声とを、スピーカアレイ１８とは別のスピーカ１５から放音したが、スピーカ１５を備える構成とせずに、スピーカアレイ１８から伴奏音と歌唱者音声とを放音する構成としてもよい。この場合、例えば、図７（ａ）に示すように、スピーカアレイ１８に含まれるスピーカ１８ａ，１８ｋから伴奏音と歌唱音声とを放音する一方、他のスピーカ１８ｂ，１８ｃ，・・・からガイドメロディを放音する構成としてもよい。
【００３８】
また、上述した実施形態では、指定された方向に指向性を持たせて放音する第２の放音手段として、スピーカが列状に配置されたスピーカアレイ１８を用いたが、これに代えて、例えば図７（ｂ）に示すような、指向軸が回転可能なスピーカ１８Ａを用いる構成としてもよい。
【００３９】
（４）また、スピーカアレイ１８の構成は、以下のようであってもよい。図８は、スピーカアレイ１８の構成の一例を示す図である。図８（ａ）はスピーカアレイ１８の正面図であり、同図（ｂ）は側断面図である。図示のように、スピーカアレイ１８は、縦方向及び横方向に列状に複数のスピーカ１８１，１８１，・・・が配置されている。出力方向制御部１６は、出力方向信号に応じて、スピーカ１８１，１８１，・・・に音声信号を供給することによって、スピーカアレイ１８の指向性を制御する。具体的には、例えば、図８（ｂ）において、スピーカ１８１ａに音声信号を供給することによって、図中のＰ方向の指向性の音が放音される。
【００４０】
（５）上述した第１の実施形態では、歌唱者の操作に応じてパート選択スイッチ１２３から出力される操作信号に応じてパートを選択し、一方、上述した第２の実施形態では、マイクアレイ２２１によって収音される歌唱音声を表す音声信号からピッチを検出し、検出されたピッチとメロディデータとを比較し、該比較結果に応じてパートを選択した。パートの選択方法はこれらに限らず、例えば、リモコンやタッチパネルなどの操作手段を歌唱者が操作することによって歌唱するパートと使用するマイクとを選択してもよい。この場合は、操作手段からの操作信号に応じて、方向制御部１７が、パートを選択する。
また、収音した音声を音声解析し、歌詞と比較することによって、パートを選択してもよく、音声データを解析し、該解析結果に応じてパートを選択すればよい。
要するに、方向制御部１７が、複数のパートで構成された楽曲について、その楽曲を構成するパートのいずれかを選択すればよい。
【００４１】
また、パートを選択しない構成としてもよい。例えば、ハモリに対応しておらず、メインボーカルのみのガイドメロディを有する楽曲の場合には、パートを選択する必要はなく、メインボーカルのガイドメロディを放音する構成とすればよい。
【００４２】
（６）上述した実施形態においては、スピーカアレイ１８から歌唱者の歌唱音声や伴奏音を放音させる構成とした。歌唱音声や伴奏音を放音する際に、出力方向制御部１６が、スピーカアレイ１８に含まれるスピーカのそれぞれの指向性を別方向に制御してもよい。このようにすれば、演奏音に広がりを持たせて、カラオケ演奏にサラウンド感を付与することができる。
【００４３】
（７）上述した実施形態においては、スピーカ１５、スピーカアレイ１８及び入力部１２がカラオケ装置１に一体となって構成されていた。これに代えて、スピーカ１５や、スピーカアレイ１８又は入力部１２が、カラオケ装置１とは別体として構成されていてもよい。
【００４４】
（８）上述した第１の実施形態では、マイク１２１に設けられた位置センサ１２２からの信号に応じて、歌唱者の位置を検出し、一方、上述した第２の実施形態では、マイクアレイ２２１の各マイクロフォンから出力される信号の遅延とゲインを変えることにより収音方向を設定し、この収音方向をスキャンさせることによって歌唱者の位置を検出した。歌唱者の位置の検出方法は、上述した実施形態で示したものに限らず、例えば、センサを備えたもの（例えばバッチ、ぼうしなど）を歌唱者が着用し、そのセンサからの信号に応じて歌唱者の位置を検出してもよい。
【００４５】
（９）上述した実施形態におけるカラオケ装置１のカラオケ演奏部１３，方向制御部１７，出力方向制御部１６は、専用のハードウェア回路によって実現されるようにしてもよく、または、ＣＰＵ（Central Processing Unit）などの制御部が記憶部１１に記憶されたソフトウェアプログラムを読み出して実行することによって実現されるようにしてもよい。また、この場合に制御部によって実行されるプログラムは、磁気テープ、磁気ディスク、フレキシブルディスク、光記録媒体、光磁気記録媒体、ＲＡＭ、ＲＯＭなどの記録媒体に記録した状態で提供し得る。また、インターネットのようなネットワーク経由でカラオケ装置１にダウンロードさせることも可能である。
【図面の簡単な説明】
【００４６】
【図１】カラオケ装置１の構成の一例を示すブロック図である。
【図２】楽音データの内容の一例を示す図である。
【図３】入力部１２の構成の一例を示すブロック図である。
【図４】カラオケ装置１の動作例を説明するための図である。
【図５】カラオケ装置２の入力部２２の構成の一例を示すブロック図である。
【図６】カラオケ装置２の動作例を説明するための図である。
【図７】スピーカアレイ１８の構成の一例を示す図である。
【図８】スピーカアレイ１８の構成の一例を示す図である。
【符号の説明】
【００４７】
１，２…カラオケ装置、１１…記憶部、１２，２２…入力部、１３…カラオケ演奏部、１４…ミキサ、１５…スピーカ、１６…出力方向制御部、１７…方向制御部、１８…スピーカアレイ、１００…カラオケボックス、１１１…楽音データ記憶領域、１２１…マイク、１２２…位置センサ、１２３…パート選択スイッチ、１２４…操作部、２２１…マイクアレイ、２２２…パート検出部、２２３…方向検出部。
【図１】
2008046150.tif 000003
【図２】
2008046150.tif 000004
【図３】
2008046150.tif 000005
【図４】
2008046150.tif 000006
【図５】
2008046150.tif 000007
【図６】
2008046150.tif 000008
【図７】
2008046150.tif 000009
【図８】
2008046150.tif 000010